(57)【要約】  本出願に係る実施例はスケジューリング要求を行う方法および装置に関し、ネットワーク側の設定により端末がＢＷＰ変更を行う場合、進行中のＳＲ過程への処理についてまだ解決案がないという従来技術に存在する問題を解決すること。本出願の実施例に係る端末はＳＲを実行する過程においてＢＷＰ変更の発生が必要であると確定した場合、変更後のＢＷＰにおけるＳＲ設定に従ってＳＲを行う。端末が変更後のＢＷＰにおけるＳＲ設定に従ってＳＲを行うことができるため、ＢＷＰ変更後、進行中のＳＲ過程への端末の処理方式を提供し、それによりシステムの機能をさらに高める。
2021508208.tif 000002
【特許請求の範囲】
【請求項１】
端末はスケジューリング要求のためのＳＲ報告を実行する過程において帯域幅パート（ＢＷＰ）の変更が発生したことを確定することと、
前記端末は変更後のＢＷＰにおけるＳＲ設定に従ってＳＲを行うことと、
を含むことを特徴とするスケジューリング要求を行う方法。
【請求項２】
前記端末が変更後のＢＷＰにおけるＳＲ設定に従ってＳＲを行うことは、
変更後のＢＷＰにＳＲをトリガする論理チャネルに対応する専用ＳＲ設定がない場合、前記端末はランダムアクセスプロセスによりＳＲを行うか、或いは、
変更後のＢＷＰにＳＲをトリガする論理チャネルに対応する専用ＳＲ設定がある場合、前記端末はランダムアクセスプロセスによりＳＲを行うか、または専用スケジューリング要求リソースによりＳＲを行う、
ことを含むことを特徴とする請求項１に記載の方法。
【請求項３】
変更前のＢＷＰにＳＲをトリガする論理チャネルに対応する専用ＳＲ設定があり、変更後のＢＷＰにはＳＲをトリガする論理チャネルに対応する専用ＳＲ設定がない場合、前記端末はランダムアクセスプロセスによりＳＲを行うことは、
端末で少なくとも１つのＳＲ禁止タイマが動作中である場合、前記端末は動作中のSＲ禁止タイマ中のターゲットＳＲ禁止タイマの期限が切れると、変更後のＢＷＰにおいてランダムアクセスプロセスによりＳＲを行い、なお総ての保留中のＳＲを取り消すか、或いは、
前記端末はＢＷＰ切り替えコマンドを受信すると、現在動作中の総てのＳＲ禁止タイマを直ちに停止させ、変更後のＢＷＰにおいてランダムアクセスプロセスによりＳＲを行い、なお総ての保留中のＳＲを取り消すか、或いは、
前記端末はＢＷＰ切り替えコマンドを受信すると、現在動作中の総てのＳＲ禁止タイマを直ちに停止させ、なお前記ＳＲ禁止タイマに関連するＳＲカウンタをプリセット値に設定し、変更後のＢＷＰにおいてランダムアクセスプロセスによりＳＲを行い、なお総ての保留中のＳＲを取り消す、
ことを含むことを特徴とする請求項２に記載の方法。
【請求項４】
ターゲットＳＲ禁止タイマは最初にタイムアウトするＳＲ禁止タイマまたは最後にタイムアウトするＳＲ禁止タイマである、
ことを特徴とする請求項３に記載の方法。
【請求項５】
前記端末は総ての保留中のＳＲを取り消した後、
動作中のＳＲ禁止タイマがある場合、前記端末は総てのＳＲ禁止タイマを停止させ、なお前記ＳＲ禁止タイマに対応するＳＲカウンタにプリセット値を設定する、
ことをさらに含むことを特徴とする請求項３に記載の方法。
【請求項６】
変更前のＢＷＰにＳＲをトリガする論理チャネルに対応する専用ＳＲ設定がなく、変更後のＢＷＰにもＳＲをトリガする論理チャネルに対応する専用ＳＲ設定がない場合、前記端末はランダムアクセスプロセスによりＳＲを行うことは、
前記端末はＢＷＰ変更を実行せず、変更前のＢＷＰにおいてランダムアクセスプロセスによりＳＲを行い続け、ランダムアクセスに成功した後でＢＷＰ変更を実行するか、またはランダムアクセス最大伝送回数以下のＮ回目のランダムアクセスに失敗した後でＢＷＰ変更を行い、なお変更後のＢＷＰにおいて続けてランダムアクセスプロセスによりＳＲを行うか、或いは、
前記端末は変更前のＢＷＰにおいてランダムアクセスプロセスによるＳＲを直ちに停止させ、ＢＷＰ変更を実行し、なお変更後のＢＷＰにおいてランダムアクセスプロセスによりＳＲを行う、
ことを含むことを特徴とする請求項２に記載の方法。
【請求項７】
変更前のＢＷＰにおいてＳＲをトリガする論理チャネルに対応する専用ＳＲ設定があり、かつ変更後のＢＷＰにＳＲをトリガする論理チャネルに対応する専用ＳＲ設定がある場合、前記端末は専用スケジューリング要求リソースによりＳＲを行うことは、
前記端末は、ＳＲをトリガする論理チャネルに対応するＳＲ禁止タイマがタイムアウトした後、前記論理チャネルにトリガされたＳＲが保留状態にある場合、変更後のＢＷＰにおいて専用スケジューリング要求リソースによりＳＲを行う、
ことを含むことを特徴とする請求項２に記載の方法。
【請求項８】
変更前のＢＷＰにＳＲをトリガする論理チャネルに対応する専用ＳＲ設定がなく、かつ変更後のＢＷＰにＳＲをトリガする論理チャネルに対応する専用ＳＲ設定がある場合、前記端末はランダムアクセスプロセスによりＳＲを行うか、または専用スケジューリング要求リソースによりＳＲを行うことは、
前記端末はＢＷＰ変更を実行せず、変更前のＢＷＰにおいてランダムアクセスプロセスによりＳＲを行い続け、ランダムアクセスに成功した後でＢＷＰ切り替えを実行するか、またはランダムアクセス最大伝送回数以下のＮ回目のランダムアクセスに失敗した後でＢＷＰ切り替えを行い、なお変更後のＢＷＰにおいて専用スケジューリング要求リソースによりＳＲを行うか、或いは、
前記端末は変更前のＢＷＰにおいてランダムアクセスプロセスによるＳＲを直ちに停止させ、ＢＷＰ変更を直ちに実行し、なお変更後のＢＷＰにおいて専用スケジューリング要求リソースによりＳＲを行う、
ことを含むことを特徴とする請求項２に記載の方法。
【請求項９】
前記端末はランダムアクセスに失敗した回数がランダムアクセス最大伝送回数と同じとなった場合、上位層にランダムアクセス問題指示を送信しない、
ことをさらに含むことを特徴とする請求項１から８のいずれかに記載の方法。
【請求項１０】
プロセッサ、メモリおよび送受信機を含み、
前記プロセッサはメモリ内のプログラムを読み出して、以下の、
ＳＲ報告を実行する過程においてＢＷＰ変更が発生したと確定し、変更後のＢＷＰにおけるＳＲ設定によりＳＲを行う、
プロセスを実行することを特徴とするスケジューリング要求を行う端末。
【請求項１１】
前記プロセッサは、具体的には、
変更後のＢＷＰにＳＲをトリガする論理チャネルに対応する専用ＳＲ設定がない場合、ランダムアクセスプロセスによりＳＲを行うか、或いは
変更後のＢＷＰにＳＲをトリガする論理チャネルに対応する専用ＳＲ設定がある場合、ランダムアクセスプロセスによりＳＲを行うか、または専用スケジューリング要求リソースによりＳＲを行う、
ことに用いられることを特徴とする請求項１０に記載の端末。
【請求項１２】
変更前のＢＷＰに前記ＳＲをトリガする論理チャネルに対応する専用ＳＲ設定があり、かつ変更後のＢＷＰにＳＲをトリガする論理チャネルに対応する専用ＳＲ設定がない場合、
前記プロセッサは、具体的には、
少なくとも１つのＳＲ禁止タイマが動作中である場合、動作中のＳＲ禁止タイマ中のターゲットＳＲ禁止タイマの期限が切れると、変更後のＢＷＰにおいてランダムアクセスプロセスによりＳＲを行い、なお総ての保留中のＳＲを取り消すか、或いは、
ＢＷＰ切り替えコマドンを受信すると、現在動作中の総てのＳＲ禁止タイマを直ちに停止させ、変更後のＢＷＰにおいてランダムアクセスプロセスによりＳＲを行い、なお総ての保留中のＳＲを取り消すか、或いは、
ＢＷＰ切り替えコマンドを受信すると、現在動作中の総てのＳＲ禁止タイマを直ちに停止させ、なお前記ＳＲ禁止タイマに関連するＳＲカウンタにプリセット値を設定し、変更後のＢＷＰにおいてランダムアクセスプロセスによりＳＲを行い、なお総ての保留中のＳＲを取り消す、
ことに用いられることを特徴とする請求項１１に記載の端末。
【請求項１３】
ターゲットＳＲ禁止タイマは最初にタイムアウトするＳＲ禁止タイマまたは最後にタイムアウトするＳＲ禁止タイマである、
ことを特徴とする請求項１１に記載の端末。
【請求項１４】
前記プロセッサは、さらに、
動作中のＳＲ禁止タイマがある場合、総てのＳＲ禁止タイマを停止させ、なお前記ＳＲ禁止タイマに対応するＳＲカウンタにプリセット値を設定する、
ことに用いられることを特徴とする請求項１１に記載の端末。
【請求項１５】
変更前のＢＷＰに前記ＳＲをトリガする論理チャネルに対応する専用ＳＲ設定がなく、かつ変更後のＢＷＰにもＳＲをトリガする論理チャネルがない場合、
前記プロセッサは、具体的には、
ＢＷＰ変更を実行せず、変更前のＢＷＰにおいてランダムアクセスプロセスによるＳＲを行い続け、ランダムアクセスに成功した後でＢＷＰ変更を実行するか、またはランダムアクセス最大伝送回数以下のＮ回目のランダムアクセスに失敗した後でＢＷＰ変更を行い、なお変更後のＢＷＰにおいて続けてランダムアクセスプロセスによりＳＲを行うか、或いは
変更前のＢＷＰにおいてランダムアクセスプロセスによるＳＲを直ちに停止させ、なおＢＷＰ変更を実行し、変更後のＢＷＰにおいてランダムアクセスプロセスによりＳＲを行う、
ことに用いられることを特徴とする請求項１１に記載の端末。
【請求項１６】
変更前のＢＷＰに前記ＳＲをトリガする論理チャネルに対応する専用ＳＲ設定があり、かつ変更後のＢＷＰにＳＲをトリガする論理チャネルに対応する専用ＳＲ設定がある場合、
前記プロセッサは、具体的には、
ＳＲをトリガする論理チャネルに対応するＳＲ禁止タイマがタイムアウトした後、前記論理チャネルにトリガされたＳＲが保留状態にある場合、変更後のＢＷＰにおいて専用スケジューリング要求リソースによりＳＲを行う、
ことに用いられることを特徴とする請求項１１に記載の端末。
【請求項１７】
変更前のＢＷＰに前記ＳＲをトリガする論理チャネルに対応する専用ＳＲ設定がなく、かつ変更後のＢＷＰにＳＲをトリガする論理チャネルに対応する専用ＳＲ設定がある場合、
前記プロセッサは、具体的には、
ＢＷＰ変更を実行せず、変更前のＢＷＰにおいてランダムアクセスプロセスによるＳＲを行い続け、ランダムアクセスに成功した後でＢＷＰ切り替えを実行するか、またはランダムアクセス最大伝送回数以下のＮ回目のランダムアクセスに失敗した後でＢＷＰ切り替えを行い、なお変更後のＢＷＰにおいて専用スケジューリング要求リソースによりＳＲを行うか、或いは
変更前のＢＷＰにおいてランダムアクセスプロセスによるＳＲを直ちに停止させ、ＢＷＰ変更を直ちに実行し、なお変更後のＢＷＰにおいて専用スケジューリング要求リソースによりＳＲを行う、
ことに用いられることを特徴とする請求項１１に記載の端末。
【請求項１８】
前記プロセッサは、さらに、
ランダムアクセスに失敗した回数がランダムアクセス最大伝送回数と同じとなったある場合、上位層にランダムアクセス問題指示を送信しない、
ことに用いられることを特徴とする請求項１０から１７のいずれかに記載の端末。
【請求項１９】
ＳＲ報告を実行する過程においてＢＷＰ変更が発生したことを確定する変更処理モジュールと、
変更後のＢＷＰにおけるＳＲ設定に従ってＳＲを行う報告処理モジュールと、
を含むことを特徴とするスケジューリング要求を行う端末。
【請求項２０】
コンピュータプログラムが格納され、
当該プログラムはプロセスによって実行される際、請求項１から９のいずれかに記載の方法のステップを実現する、
ことを特徴とするコンピュータ記憶媒体。
【発明の詳細な説明】
【技術分野】
【０００１】
〔関連出願の相互参照〕
本出願は、２０１７年１２月２８日に中国特許局に提出し、出願番号が２０１７１１４６６５７０．Ｘであり、発明名称が「スケジューリング要求を行う方法および装置」との中国特許出願を基礎とする優先権を主張し、その開示の総てをここに取り込む。
【０００２】
本発明は、無線通信技術分野に関し、特にスケジューリング要求を行う方法および装置に関する。
【背景技術】
【０００３】
従来のＬＴＥ（Ｌｏｎｇ  Ｔｅｒｍ  Ｅｖｏｌｕｔｉｏｎ、ロングタームエボリューション）システムで、ネットワーク側から見たセルの帯域幅は、端末の受信帯域幅２０ＭＨｚ以下であるため、ネットワーク側では常にセルの上り下りの合計帯域幅を端末に割り当て、端末はセルの帯域幅全般で作業可能である。ＮＲ（Ｎｅｗ  Ｒａｄｉｏ、新たな無線インターフェース）システムでは、ネットワーク側の帯域幅は４００ＭＨｚにもなり、端末の受信能力よりもはるかに大きい。したがって、ＢＷＰ（Ｂａｎｄ  Ｗｉｄｔｈ  Ｐａｒｔ、帯域幅パート）の概念を導入する。すなわちネットワーク側の大きい帯域幅を複数の帯域幅パートＢＷＰに分割し、端に１つまたは複数のＢＷＰを割り当て、割り当てられた一部のＢＷＰをアクティベーションして端末が上り下り伝送を行うようにする。アクティベーションされた下りＢＷＰはａｃｔｉｖｅ  ＤＬ  ＢＷＰと称し、アクティベーションされた上りＢＷＰはａｃｔｉｖｅ  ＵＬ  ＢＷＰと称する。Ｒ１５バージョンでは、端末にとって、一度に１つのＤＬ  ＢＷＰおよび１つのＵＬ  ＢＷＰのみのアクティベーションが可能であり、非アクティブなＢＷＰは上り下りシグナリングおよびデータ伝送が不可能である。
【０００４】
ネットワーク側は端末のために複数のＢＷＰを割り当てた後、物理層シグナリングＤＣＩ（Ｄｏｗｎｌｉｎｋ  Ｃｏｎｔｒｏｌ  Ｉｎｆｏｒｍａｔｉｏｎ、下り制御情報）を利用してＢＷＰのアクティベーションの変更が可能であり、上り下りのＢＷＰそれぞれのアクティベーションの変更が可能である。
【０００５】
３ＧＰＰ（３ｒｄ  Ｇｅｎｅｒａｔｉｏｎ  Ｐａｒｔｎｅｒｓｈｉｐ  Ｐｒｏｊｅｃｔ、第三世代移動通信標準化団体）無線通信システムは、スケジューリングによるシステムであり、基地局が端末装置のためにデータ伝送に必要な時間−周波数リソースを割り当て、端末は基地局のスケジューリングコマンドに従って下りデータの受信または上りデータの送信を行う。上りデータの伝送は基地局によってスケジューリングされ、基地局スケジューラは上りリソース割り当て状況を確定した後、ＵＬ  ｇｒａｎｔ（上りスケジューリング許可）を通じて端末に通知する。基地局スケジューラが上りリソースを割り当てる根拠は、端末によって送信される上りデータの量、すなわち端末のバッファ状態である。当該バッファは端末側にあり、基地局がその情報を知り得たい場合、端末が基地局に対してＢＳＲ（Ｂｕｆｆｅｒ  ｓｔａｔｅ  ｒｅｐｏｒｔ、バッファ状態報告）を行う必要がある。
【０００６】
ＳＲ（ｓｃｈｅｄｕｌｉｎｇ  ｒｅｑｕｅｓｔ、スケジューリング要求）がトリガされた後、ＳＲを送信する方法は２つある。すなわち、専用スケジューリング要求リソースによりＳＲを送信する方法（Ｄ−ＳＲ）およびランダムアクセスプロセスによりＳＲを行う方法（ＲＡ−ＳＲ）である。
【０００７】
端末はＳＲを実行する過程において、ネットワーク側の設定に応じて端末がＢＷＰの変更を行った場合、進行中のＳＲ過程をどのように処理するかについては、まだ解決策がない。
【発明の概要】
【発明が解決しようとする課題】
【０００８】
本出願はスケジューリング要求を行う方法及び装置を提供し、ネットワーク側の設定に応じて端末がＢＷＰの変更を行った場合、進行中のＳＲ過程をどのように処理するかについて現在まだ解決策がないという課題を解決する。
【課題を解決するための手段】
【０００９】
本出願の実施例に係るスケジューリング要求を行う方法は、
端末はスケジューリング要求のためのＳＲ報告を実行する過程において帯域幅パート（ＢＷＰ）の変更が発生したことを確定することと、
前記端末は変更後のＢＷＰにおけるＳＲ設定に従ってＳＲを行うことと、を含む。
【００１０】
本出願の実施例に係るスケジューリング要求を行う端末は、プロセッサ、メモリおよび送受信機を含み、
前記プロセッサはメモリ内のプログラムを読み出して、以下の、
ＳＲ報告を実行する過程においてＢＷＰ変更が発生したと確定し、変更後のＢＷＰにおけるＳＲ設定によりＳＲを行う、プロセスを実行する。
【００１１】
本出願の実施例に係るスケジューリング要求を行う端末は、
ＳＲ報告を実行する過程においてＢＷＰ変更が発生したことを確定する変更処理モジュールと、
変更後のＢＷＰにおけるＳＲ設定に従ってＳＲを行う報告処理モジュールと、を含む
本出願の実施例に係るコンピュータ記憶媒体は、コンピュータプログラムが格納され、当該プログラムはプロセスによって実行される際、上記のスケジューリング要求を行う方法のステップを実現する。
【発明の効果】
【００１２】
本出願の実施例に係る端末はＳＲを実行する過程においてＢＷＰ変更の発生が必要であると確定した場合、変更後のＢＷＰにおけるＳＲ設定に従ってＳＲを行う。端末が変更後のＢＷＰにおけるＳＲ設定に従ってＳＲを行うことができるため、ＢＷＰ変更後、進行中のＳＲ過程への端末の処理方式を提供し、それによりシステムの機能をさらに高める。
【図面の簡単な説明】
【００１３】
本出願に係る実施例の技術案をより明確に説明するために、以下に実施例を説明するために必要な図面について簡単に紹介する。勿論、以下の説明における図面は本出願に係る実施例の一部であり、当業者は、創造性作業を行わないことを前提として、これらの図面に基づいて他の図面を得ることができる。
【００１４】
【図１】本出願の実施例に係るスケジューリング要求を行う方法のフローを示す概略図である。
【図２】本出願の実施例に係る第１の端末の構造を示す概略図である。
【図３】本出願の実施例に係る第２の端末の構造を示す概略図である。
【図４】本出願の実施例に係る変更前に専用ＳＲ設定があり、変更後には専用ＳＲ設定がないスケジューリング要求方法のフローを示す概略図である。
【図５】本出願の実施例に係る変更前に専用ＳＲ設定がなく、変更後には専用ＳＲ設定があるスケジューリング要求方法のフローを示す概略図である。
【発明を実施するための形態】
【００１５】
以下、当業者による理解を容易にするために、本出願の実施例における一部の用語を説明する。
【００１６】
（１）本出願の実施例において、「ネットワーク」および「システム」という名詞はよく互換的に使用されるが、当業者はその意味を理解することができる。
【００１７】
（２）本出願の実施例において、「複数」という用語は２つ以上を指し、他の数量詞も同様である。
【００１８】
（３）「及び／又は」は、関連する対象の関連関係を説明し、３つの関係が存在する可能性があることを示し、例えば、Ａ及び／又はＢは、Ａが単独で存在するか、ＡとＢが同時に存在するか、Ｂが単独で存在するという３つの状況を示す。符号「／」は一般的には前後で関連する対象が「論理和」の関係にあることを示す。
【００１９】
本出願に係る実施例の目的、技術案及びメリットをより明確にするため、以下、本出願に係る実施例の図面を参考しながら、本出願に係る実施例の技術案を明確かつ完全に説明する。説明した実施例は本出願の一部の実施例にすぎず、全部の実施例ではないのが明らかである。本出願の実施例に基づき、当業者は、創造性作業を行わない限りに得られた他の実施例は、全部本発明の保護範囲に属する。
【００２０】
図１に示すように、本出願の実施例に係るスケジューリング要求を行う方法は、以下のステップを含む。
【００２１】
ステップ１００において、端末はＳＲ報告を実行する過程においてＢＷＰ変更の発生を確定する。
【００２２】
ステップ１０１において、前記端末は変更後のＢＷＰにおけるＳＲ設定に従ってＳＲを行う。
【００２３】
本出願の実施例に係る端末はＳＲを実行する過程においてＢＷＰ変更の発生が必要であると確定した場合、変更後のＢＷＰにおけるＳＲ設定に従ってＳＲを行う。端末が変更後のＢＷＰにおけるＳＲ設定に従ってＳＲを行うことができるため、端末のＢＷＰ変更後に進行中のＳＲ過程に対した処理方式を提供し、それによりシステムの機能をさらに高めた。
【００２４】
本出願の実施例に係る端末が変更後のＢＷＰにおけるＳＲ設定に従ってＳＲを行うことは、変更後のＢＷＰにおいてＳＲをトリガする論理チャネルに対応する専用ＳＲ設定が存在しない方式１、および変更後のＢＷＰにおいてＳＲをトリガする論理チャネルに対応する専用ＳＲ設定が存在する方式２に分けられる。以下、それぞれについて説明する。
【００２５】
方式１において、変更後のＢＷＰにＳＲをトリガする論理チャネルに対応する専用ＳＲ設定がない。
【００２６】
具体的には、変更後のＢＷＰにおいてＳＲをトリガする論理チャネルに対応する専用ＳＲ設定がない場合、前記端末はランダムアクセスプロセスによりＳＲを行う（すなわちＲＡ−ＳＲ）。
【００２７】
方式１に対し、さらに、以下の２つのケースに分けることができる。
【００２８】
ケース１においては、変更前のＢＷＰにＳＲをトリガする論理チャネルに対応する専用ＳＲ設定があり、変更後のＢＷＰにはＳＲをトリガする論理チャネルに対応する専用ＳＲ設定がない。
【００２９】
ケース２においては、変更前のＢＷＰにＳＲをトリガする論理チャネルに対応する専用ＳＲ設定がなく、変更後のＢＷＰにもＳＲをトリガする論理チャネルに対応する専用ＳＲ設定がない。
【００３０】
以下、それぞれについて説明する。
【００３１】
ケース１においては、変更前のＢＷＰにＳＲをトリガする論理チャネルに対応する専用ＳＲ設定があり、変更後のＢＷＰにはＳＲをトリガする論理チャネルに対応する専用ＳＲ設定がない。
【００３２】
ケース１の場合、端末は以下のいずれかの方法に従ってランダムアクセスプロセスによりＳＲを行うことができる。
【００３３】
１、前記端末において少なくとも１つのＳＲ禁止タイマが動作中である場合、前記端末は動作中のＳＲ禁止タイマ中のターゲットＳＲ禁止タイマ（ｓｒ−ＰｒｏｈｉｂｉｔＴｉｍｅｒ）の期限が切れると、変更後のＢＷＰにおいてランダムアクセスプロセスによりＳＲを行い、総ての保留中のＳＲを取り消す。
【００３４】
当該タイミングで、端末に複数の保留中のＳＲがあり、各保留中のＳＲに複数のＳＲ禁止タイマがある可能性がある。本出願に係る実施例では、ターゲットＳＲ禁止タイマの期限が切れると、変更後のＢＷＰにおいてランダムアクセスプロセスによりＳＲを行う。
【００３５】
好ましくは、ここでのターゲットＳＲ禁止タイマは最初にタイムアウトするＳＲ禁止タイマまたは最後にタイムアウトするＳＲ禁止タイマである。
【００３６】
例えば、前記端末は動作中のＳＲ禁止タイマ中の最初にタイムアウトするＳＲ禁止タイマの期限が切れた後、変更後のＢＷＰにおいてランダムアクセスプロセスによりＳＲを行ってもよい。
【００３７】
さらに例えば、前記端末は動作中のＳＲ禁止タイマ中の最後にタイムアウトするＳＲ禁止タイマの期限が切れた後、変更後のＢＷＰにおいてランダムアクセスプロセスによりＳＲを行ってもよい。
【００３８】
好ましくは、動作中のＳＲ禁止タイマがある場合、前記端末は総てのＳＲ禁止タイマを停止させ、さらに前記ＳＲ禁止タイマに対応するＳＲカウンタをプリセット値（ＳＲ＿ＣＯＵＮＴＥＲ）に設定する。例えばＳＲカウント値を０に設定する。
【００３９】
２、前記端末はＢＷＰ切り替えコマンドを受信すると、現在動作中の総てのＳＲ禁止タイマを直ちに停止させ、変更後のＢＷＰにおいてランダムアクセスプロセスによりＳＲを行い、さらに総ての保留中のＳＲを取り消し、ＳＲカウント値をプリセット値に設定する。例えばＳＲカウント値を０に設定する。
【００４０】
当該タイミングにおいて、端末に複数の保留中のＳＲがあり、各保留中のＳＲに複数のＳＲ禁止タイマがある可能性がある。本出願に係る実施例では、ＢＷＰ切り替えコマンドを受信すると、総ての動作中のＳＲ禁止タイマを停止させ、さらに変更後のＢＷＰにおいてランダムアクセスプロセスによりＳＲを行う。
【００４１】
３、端末はＢＷＰ切り替えコマンドを受信すると、現在動作中の総てのＳＲ禁止タイマを直ちに停止させ、さらに前記ＳＲ禁止タイマに関連するＳＲカウンタをプリセット値に設定し、変更後のＢＷＰにおいてランダムアクセスプロセスによりＳＲを行い、なお総ての保留中のＳＲを取り消す。
【００４２】
当該タイミングにおいて、端末に複数の保留中のＳＲがあり、各保留中のＳＲに複数のＳＲ禁止タイマがある可能性がある。本出願に係る実施例では、ＢＷＰ切り替えコマンドを受信すると、総ての動作中のＳＲ禁止タイマを停止させ、前記ＳＲ禁止タイマに関連するＳＲカウンタをプリセット値に設定し、変更後のＢＷＰにおいてランダムアクセスプロセスによりＳＲを行う。
【００４３】
ケース２においては、変更前のＢＷＰにＳＲをトリガする論理チャネルに対応する専用ＳＲ設定がなく、かつ変更後のＢＷＰにもＳＲをトリガする論理チャネルに対応する専用ＳＲ設定がない。
【００４４】
ケース２の場合、端末は以下のいずれかの方法に従ってランダムアクセスプロセスによりＳＲを行ってもよい。
【００４５】
１、前記端末はＢＷＰ変更を実行せず、変更前のＢＷＰにおいてランダムアクセスプロセスによりＳＲを行い続け、ランダムアクセスに成功した後でＢＷＰ変更を実行する。
【００４６】
本出願の実施例に係る端末はＢＷＰ切り替えコマンドを受信すると、ＢＷＰ切り替えを行わず、変更前のＢＷＰにおいてランダムアクセスプロセスによりＳＲを行い続ける。
【００４７】
２、前記端末はＢＷＰ変更を実行せず、変更前のＢＷＰにおいてランダムアクセスプロセスによりＳＲを行い続け、Ｎ回目のランダムアクセスに失敗した後でＢＷＰ変更を行い、さらに変更後のＢＷＰにおいて続けてランダムアクセスプロセスによりＳＲを行い、ここでＮはランダムアクセス最大伝送回数以下である。
【００４８】
本出願の実施例に係る端末はＢＷＰ切り替えコマンドを受信すると、ＢＷＰ切り替えを行わず、変更前のＢＷＰにおいてランダムアクセスプロセスによりＳＲを行い続け、Ｎ回目のランダムアクセスに失敗した後でＢＷＰ変更を行う。
【００４９】
ここでのＮの値はニーズに応じて設定されてもよい。例えば、１に設定してもよく、その場合、ＢＷＰ変更後の１回目のランダムアクセスに失敗するだけで、ＢＷＰ切り替えを行い、なお変更後のＢＷＰにおいて専用スケジューリング要求リソースによりＳＲを行う。
【００５０】
３、前記端末は変更前のＢＷＰにおいてランダムアクセスプロセスによるＳＲを直ちに停止させ、ＢＷＰ変更を実行し、なお変更後のＢＷＰにおいてランダムアクセスプロセスによりＳＲを行う。
【００５１】
本出願の実施例に係る端末はＢＷＰ切り替えコマンドを受信すると、ランダムアクセスプロセスによるＳＲを直ちに停止させ、ＢＷＰ変更を実行し、なお変更後のＢＷＰにおいてランダムアクセスプロセスによりＳＲを行う。
【００５２】
方式２においては、変更後のＢＷＰにＳＲをトリガする論理チャネルに対応する専用ＳＲ設定がある。
【００５３】
具体的には、変更後のＢＷＰにＳＲをトリガする論理チャネルに対応する専用ＳＲ設定がある場合、前記端末はランダムアクセスプロセスによりＳＲを行うか、または専用スケジューリング要求リソースによりＳＲを行う。
【００５４】
方式２の場合、さらに以下の２つのケースに分けることができる。
【００５５】
ケース１においては、変更前のＢＷＰにＳＲをトリガする論理チャネルに対応する専用ＳＲ設定があり、かつ変更後のＢＷＰにＳＲをトリガする論理チャネルに対応する専用ＳＲ設定がある。
【００５６】
ケース２においては、変更前のＢＷＰにＳＲをトリガする論理チャネルに対応する専用ＳＲ設定がなく、かつ変更後のＢＷＰにはＳＲをトリガする論理チャネルに対応する専用ＳＲ設定がある。
【００５７】
以下、それぞれについて説明する。
ケース１においては、変更前のＢＷＰにＳＲをトリガする論理チャネルに対応する専用ＳＲ設定があり、かつ変更後のＢＷＰにＳＲをトリガする論理チャネルに対応する専用ＳＲ設定がある。
【００５８】
ケース１の場合、端末は以下の方法に従って専用スケジューリング要求リソースによりＳＲを行うことができる。
【００５９】
前記端末はＳＲをトリガする論理チャネルに対応するＳＲ禁止タイマがタイムアウトした後、前記論理チャネルによりトリガされたＳＲが保留状態にある場合、変更後のＢＷＰにおいて専用スケジューリング要求リソースによりＳＲを行う。
【００６０】
このケースでは、端末はＢＷＰ変更後にもＳＲ禁止タイマを動作させ、なおＳＲをトリガする論理チャネルに対応するＳＲ禁止タイマがタイムアウトした後、前記論理チャネルによりトリガされたＳＲが保留状態にある場合、変更後のＢＷＰにおいて専用スケジューリング要求リソースによりＳＲを行う。
【００６１】
ケース２においては、変更前のＢＷＰにＳＲをトリガする論理チャネルに対応する専用ＳＲ設定がなく、変更後のＢＷＰにはＳＲをトリガする論理チャネルに対応する専用ＳＲ設定がある。
【００６２】
ケース２の場合、端末は以下のいずれかの方法に従ってランダムアクセスプロセスによりＳＲを行うか、または専用スケジューリング要求リソースによりＳＲを行うことができる。
【００６３】
１、前記端末はＢＷＰ変更を実行せず、変更前のＢＷＰにおいてランダムアクセスプロセスによりＳＲを行い続け、ランダムアクセスに成功した後でＢＷＰ切り替えを実行する。
【００６４】
本出願の実施例に係る端末はＢＷＰ切り替えコマンドを受信すると、ＢＷＰ切り替えを行わず、変更前のＢＷＰにおいてランダムアクセスプロセスによりＳＲを行い続ける。
【００６５】
２、前記端末はＢＷＰ変更を実行せず、変更前のＢＷＰにおいてランダムアクセスプロセスによりＳＲを行い続け、Ｎ回目のランダムアクセスに失敗した後でＢＷＰ切り替えを行い、なお変更後のＢＷＰにおいて専用スケジューリング要求リソースによりＳＲを行い、ここでＮはランダムアクセス最大伝送回数以下である。
【００６６】
本出願の実施例に係る端末はＢＷＰ切り替えコマンドを受信すると、ＢＷＰ切り替えを行わず、変更前のＢＷＰにおいてランダムアクセスプロセスによりＳＲを行い続け、Ｎ回目のランダムアクセスに失敗した後でＢＷＰ切り替えを行い、なお変更後のＢＷＰにおいて専用スケジューリング要求リソースによりＳＲを行う。
【００６７】
ここでのＮの値はニーズに応じて設定してもよく、例えば１に設定してもよく、その場合、ＢＷＰ変更後の１回目のランダムアクセスに失敗するだけで、ＢＷＰ切り替えを行い、なお変更後のＢＷＰにおいて専用スケジューリング要求リソースによりＳＲを行う。
【００６８】
３、前記端末は変更前のＢＷＰにおいてランダムアクセスプロセスによるＳＲを直ちに停止させ、ＢＷＰ変更を直ちに実行し、なお変更後のＢＷＰにおいて専用スケジューリング要求リソースによりＳＲを行う。
【００６９】
本出願の実施例に係る端末はＢＷＰ切り替えコマンドを受信すると、ランダムアクセスプロセスによるＳＲを直ちに停止させ、ＢＷＰ変更を実行し、なお変更後のＢＷＰにおいて専用スケジューリング要求リソースによりＳＲを行う。
【００７０】
好ましくは、ランダムアクセスに失敗した回数がランダムアクセス最大伝送回数と同じとなった後、前記端末は上位層にランダムアクセス問題指示を送信しない。
【００７１】
同じ発明思想に基づいて、本出願に係る実施例はさらに端末を提供し、当該端末による問題解決の原理は本出願の実施例に係るスケジューリング要求を行う方法と似ているため、当該端末の実施は方法の実施を参照すればよく、ここでは重複して説明しない。
【００７２】
図２に示すように、本出願の実施例に係る第１の端末は、プロセッサ２００、メモリ２０１および送受信機２０２を含む。
【００７３】
プロセッサ２００はバスアーキテクチャおよび通常の処理を管理し、メモリ２０１はプロセッサ２００が動作する際に利用するデータを記憶する。送受信機２０２はプロセッサ２００の制御下でデータを送受信する。
【００７４】
バスアーキテクチャは任意の数の相互接続するバスおよびブリッジを備える。具体的にはプロセッサ２００が代表する１つまたは複数のプロセッサおよびメモリ２０１が代表するメモリの各種回路により接続される。バスアーキテクチャはさらに、外部設備、電圧レギュレータおよび電力管理回路等の他の各種回路を接続させることもできる。これらは、当該分野の周知技術であるため、本発明において、詳細に説明しない。バスインターフェースはインターフェースを提供する。プロセッサ２００はバスアーキテクチャおよび通常の処理を管理し、メモリ２０１はプロセッサ２００が動作する際に利用するデータを記憶する。
【００７５】
本出願に係る実施例により開示されるフローは、プロセッサ２００に適用するか、または、プロセッサ２００により実現することができる。実現の過程において、信号処理フローの各々ステップは、プロセッサ２００内のハードウェアの論理集積回路またはソフトウェア形式の指令により完成することができる。プロセッサ２００は、汎用プロセッサ、デジタル信号プロセッサ、専用集積回路、フィールドプログラマブル・ゲートアレイまたは他のプログラマブルロジック・デバイス、ディスクリート・ゲートまたはトランジスタロジック・デバイス、ディスクリート・ハードウェアコンポネントであることができ、本出願の実施例に係る実施例により開示した各々方法、ステップおよびロジックブロック図を実現・執行することができる。汎用プロセッサはマイクロプロセッサまたはいずれのノーマルプロセッサーなどであることができる。本出願に係る実施例により開示された方法のステップを参照すれば、ハードウェアプロセッサにより直接に執行して完成するか、または、プロセッサ内のハードウェアおよびソフトウェアモジュールの組み合わせにより執行されて完成することができる。ソフトウェアモジュールは、ランダムメモリ、フラッシュメモリ、リードオンリーメモリ、プログラマブルリードオンリーメモリまたは電気的消去可能プログラマブルメモリ、レジスタなど本分野のよく知られる記憶媒体に格納されることができる。当該記憶媒体はメモリ２０１に位置し、プロセッサ２００はメモリ２０１内の情報を読み出して、そのハードウェアと協働して信号処理フローのステップを完成する。
【００７６】
ここで、プロセッサ２００は、メモリ２０１内のプログラムを読み出して次のプロセスを実行する。すなわち、ＳＲ報告を実行する過程においてＢＷＰ変更が発生したと確定し、変更後のＢＷＰにおけるＳＲ設定に従ってＳＲを行う。
【００７７】
好ましくは、前記プロセッサ２００は具体的には、変更後のＢＷＰにＳＲをトリガする論理チャネルに対応する専用ＳＲ設定がない場合、ランダムアクセスプロセスによりＳＲを行うか、もしくは変更後のＢＷＰにＳＲをトリガする論理チャネルに対応する専用ＳＲ設定がある場合、ランダムアクセスプロセスによりＳＲを行うか、または専用スケジューリング要求リソースによりＳＲを行う。
【００７８】
好ましくは、変更前のＢＷＰに前記ＳＲをトリガする論理チャネルに対応する専用ＳＲ設定があり、かつ変更後のＢＷＰにＳＲをトリガする論理チャネルに対応する専用ＳＲ設定がない場合、前記プロセッサ２００は具体的には、少なくとも１つのＳＲ禁止タイマが動作中である場合、動作中のＳＲ禁止タイマ中のターゲットＳＲ禁止タイマの期限が切れると、変更後のＢＷＰにおいてランダムアクセスプロセスによりＳＲを行い、なお総ての保留中のＳＲを取り消すか、または、ＢＷＰ切り替えコマンドを受信すると、現在動作中の総てのＳＲ禁止タイマを直ちに停止させ、変更後のＢＷＰにおいてランダムアクセスプロセスによりＳＲを行い、なお総ての保留中のＳＲを取り消すか、または、ＢＷＰ切り替えコマンドを受信すると、現在動作中の総てのＳＲ禁止タイマを直ちに停止させ、前記ＳＲ禁止タイマに関連するＳＲカウンタをプリセット値に設定し、変更後のＢＷＰにおいてランダムアクセスプロセスによりＳＲを行い、なお総ての保留中のＳＲを取り消す。
【００７９】
好ましくは、ターゲットＳＲ禁止タイマは最初にタイムアウトするＳＲ禁止タイマまたは最後にタイムアウトするＳＲ禁止タイマである。
【００８０】
好ましくは、前記プロセッサ２００はさらに、動作中のＳＲ禁止タイマがある場合、総てのＳＲ禁止タイマを停止させ、なお前記ＳＲ禁止タイマに対応するＳＲカウンタをプリセット値に設定する。
【００８１】
好ましくは、変更前のＢＷＰに前記ＳＲをトリガする論理チャネルに対応する専用ＳＲ設定がなく、かつ変更後のＢＷＰにもＳＲをトリガする論理チャネルに対応する専用ＳＲ設定がない場合、前記プロセッサ２００は具体的には、ＢＷＰ変更を実行せず、変更前のＢＷＰにおいてランダムアクセスプロセスによりＳＲを行い続け、ランダムアクセスに成功した後でＢＷＰ変更を実行するか、またはランダムアクセス最大伝送回数以下のＮ回目のランダムアクセスに失敗した後でＢＷＰ変更を行い、なお変更後のＢＷＰにおいてランダムアクセスプロセスによりＳＲを行か、もしくは、変更前のＢＷＰにおいてランダムアクセスプロセスによるＳＲを直ちに停止させ、ＢＷＰ変更を実行し、なお変更後のＢＷＰにおいてランダムアクセスプロセスによりＳＲを行う。
【００８２】
好ましくは、変更前のＢＷＰに前記ＳＲをトリガする論理チャネルに対応する専用ＳＲ設定があり、かつ変更後のＢＷＰにＳＲをトリガする論理チャネルに対応する専用ＳＲ設定がある場合、前記プロセッサ２００は具体的には、ＳＲをトリガする論理チャネルに対応するＳＲ禁止タイマがタイムアウトした後、前記論理チャネルによりトリガされたＳＲが保留状態にある場合、変更後のＢＷＰにおいて専用スケジューリング要求リソースによりＳＲを行う。
【００８３】
好ましくは、変更前のＢＷＰに前記ＳＲをトリガする論理チャネルに対応する専用ＳＲ設定がなく、かつ変更後のＢＷＰにＳＲをトリガする論理チャネルに対応する専用ＳＲ設定がある場合、前記プロセッサ２００は具体的には、ＢＷＰ変更を実行せず、変更前のＢＷＰにおいてランダムアクセスプロセスによりＳＲを行い続け、ランダムアクセスに成功した後でＢＷＰ切り替えを実行するか、またはランダムアクセス最大伝送回数以下のＮ回目のランダムアクセスに失敗した後でＢＷＰ切り替えを行い、なお変更後のＢＷＰにおいて専用スケジューリング要求リソースによりＳＲを行うか、もしくは、変更前のＢＷＰにおいてランダムアクセスプロセスによるＳＲを直ちに停止させ、ＢＷＰ変更を直ちに実行し、なお変更後のＢＷＰにおいて専用スケジューリング要求リソースによりＳＲを行う。
【００８４】
好ましくは、前記プロセッサ２００はさらに、ランダムアクセスに失敗した回数がランダムアクセス最大伝送回数と同じとなった場合、ランダムアクセス問題指示を上位層に送信しない。
【００８５】
図３に示すように、本出願の実施例に係る第２の端末は、ＳＲ報告を実行する過程においてＢＷＰ変更が発生したことを確定するための変更処理モジュール３００と、変更後のＢＷＰにおけるＳＲ設定に従ってＳＲを行うための報告処理モジュール３０１と、を含む。
【００８６】
好ましくは、前記報告処理モジュール３０１は具体的には、変更後のＢＷＰにＳＲをトリガする論理チャネルに対応する専用ＳＲ設定がない場合、ランダムアクセスプロセスによりＳＲを行うか、もしくは、変更後のＢＷＰにＳＲをトリガする論理チャネルに対応する専用ＳＲ設定がある場合、ランダムアクセスプロセスによりＳＲを行うか、または専用スケジューリング要求リソースによりＳＲを行う。
【００８７】
好ましくは、変更前のＢＷＰに前記ＳＲをトリガする論理チャネルに対応する専用ＳＲ設定があり、かつ変更後のＢＷＰにＳＲをトリガする論理チャネルに対応する専用ＳＲ設定がない場合、前記報告処理モジュール３０１は具体的には、少なくとも１つのＳＲ禁止タイマが動作中である場合、動作中のＳＲ禁止タイマ中のターゲットＳＲ禁止タイマの期限が切れると、変更後のＢＷＰにおいてランダムアクセスプロセスによりＳＲを行い、なお総ての保留中のＳＲを取り消すか、または、ＢＷＰ切り替えコマンドを受信すると、現在動作中の総てのＳＲ禁止タイマを直ちに停止させ、変更後のＢＷＰにおいてランダムアクセスプロセスによりＳＲを行い、なお総ての保留中のＳＲを取り消すか、もしくは、ＢＷＰ切り替えコマンドを受信すると、現在動作中の総てのＳＲ禁止タイマを直ちに停止させ、前記ＳＲ禁止タイマに関連するＳＲカウンタをプリセット値に設定し、変更後のＢＷＰにおいてランダムアクセスプロセスによりＳＲを行い、なお総ての保留中のＳＲを取り消す。
【００８８】
好ましくは、ターゲットＳＲ禁止タイマは最初にタイムアウトするＳＲ禁止タイマまたは最後にタイムアウトするＳＲ禁止タイマである。
【００８９】
好ましくは、前記報告処理モジュール３０１はさらに、動作中のＳＲ禁止タイマがある場合、総てのＳＲ禁止タイマを停止させ、なお前記ＳＲ禁止タイマに対応するＳＲカウンタをプリセット値に設定する。
【００９０】
好ましくは、変更前のＢＷＰに前記ＳＲをトリガする論理チャネルに対応する専用ＳＲ設定がなく、かつ変更後のＢＷＰにもＳＲをトリガする論理チャネルに対応する専用ＳＲ設定がない場合、前記報告処理モジュール３０１は具体的には、ＢＷＰ変更を実行せず、変更前のＢＷＰにおいてランダムアクセスプロセスによりＳＲを行い続け、ランダムアクセスに成功した後でＢＷＰ変更を実行するか、またはランダムアクセス最大伝送回数以下のＮ回目のランダムアクセスに失敗した後でＢＷＰ変更を行い、なお変更後のＢＷＰにおいて続けてランダムアクセスプロセスによりＳＲを行うか、もしくは、変更前のＢＷＰにおいてランダムアクセスプロセスによるＳＲを直ちに停止させ、ＢＷＰ変更を実行し、変更後のＢＷＰにおいてランダムアクセスプロセスによりＳＲを行う。
【００９１】
好ましくは、変更前のＢＷＰに前記ＳＲをトリガする論理チャネルに対応する専用ＳＲ設定があり、かつ変更後のＢＷＰにＳＲをトリガする論理チャネルに対応する専用ＳＲ設定がある場合、前記報告処理モジュール３０１は具体的には、ＳＲをトリガする論理チャネルに対応するＳＲ禁止タイマがタイムアウトした後、前記論理チャネルによりトリガされたＳＲが保留状態にある場合、変更後のＢＷＰにおいて専用スケジューリング要求リソースによりＳＲを行う。
【００９２】
好ましくは、変更前のＢＷＰに前記ＳＲをトリガする論理チャネルに対応する専用ＳＲ設定がなく、かつ変更後のＢＷＰにＳＲをトリガする論理チャネルに対応する専用ＳＲ設定がある場合、前記報告処理モジュール３０１は具体的には、ＢＷＰ変更を実行せず、変更前のＢＷＰにおいてランダムアクセスプロセスによりＳＲを行い続け、ランダムアクセスに成功した後でＢＷＰ切り替えを実行するか、またはランダムアクセス最大伝送回数以下のＮ回目のランダムアクセスに失敗した後でＢＷＰ切り替えを行い、なお変更後のＢＷＰにおいて専用スケジューリング要求リソースによりＳＲを行うか、もしくは、変更前のＢＷＰにおいてランダムアクセスプロセスによるＳＲを直ちに停止させ、ＢＷＰ変更を直ちに実行し、なお変更後のＢＷＰにおいて専用スケジューリング要求リソースによりＳＲを行う。
【００９３】
好ましくは、前記報告処理モジュール３０１はさらに、ランダムアクセスに失敗した回数がランダムアクセス最大伝送回数と同じとなった場合、ランダムアクセス問題指示を上位層に送信しない。
【００９４】
本出願に係る実施例は読み取り可能な記憶媒体を提供し、前記読み取り可能な記憶媒体は不揮発性読み取り可能な記憶媒体であり、プログラムコードを含み、前記プログラムコードがコンピュータにおいて実行される際、前記プログラムコードは前記コンピュータ装置に上記端末によるスケジューリング要求のための動作を実行させることに用いられる。
【００９５】
以下、いくつかの例を採って本出願の技術案について説明する。
【００９６】
端末はＢＷＰ１およびＢＷＰ２をサポートし、端末の論理チャネル１はＳＲをトリガする論理チャネルであり、ＢＷＰ１に論理チャネル１に対応する専用ＳＲ設定があり、ＢＷＰ２に論理チャネル１に対応する専用ＳＲ設定がないとする。
【００９７】
実施例１において、図４に示すように、本出願の実施例に係る変更前は専用ＳＲ設定があり、変更後は専用ＳＲ設定がないスケジューリング要求方法は以下のステップを含む。
【００９８】
ステップ４００において、当該タイミングで端末のアクティベーションされたＢＷＰはＢＷＰ１であり、この際、ｒｅｇｕｌａｒ（周期）ＢＳＲがトリガされた場合、ＳＲトリガ条件に基づき、ｒｅｇｕｌａｒ  ＢＳＲがＳＲをトリガすることと判定する。
【００９９】
ステップ４０１において、ＢＷＰ１にＳＲをトリガする論理チャネル１に対応する専用ＳＲ設定があるため、端末はＢＷＰ１において専用ＳＲリソースによりＳＲを行い、なお専用ＳＲに基づきｓｒ−ＰｒｏｈｉｂｉｔＴｉｍｅｒおよびＳＲ＿ＣＯＵＮＴＥＲを維持する。
【０１００】
ステップ４０２において、端末がＳＲを実行する過程において、ネットワーク側は端末にＢＷＰ変更を行うように通知する。
【０１０１】
ステップ４０３において、端末はアクティブＢＷＰをＢＷＰ１からＢＷＰ２に変更する。
【０１０２】
ステップ４０４において、ＢＷＰ２にＳＲをトリガする論理チャネル２に対応する専用ＳＲ設定がないため、端末はＲＡ−ＳＲを行う必要がある。
【０１０３】
好ましくは、端末の具体的な動作は以下の通りである。
【０１０４】
１、前記端末で少なくとも１つのＳＲ禁止タイマが動作中である場合、前記端末は動作のＳＲ禁止タイマ中のターゲットＳＲ禁止タイマの期限が切れると、変更後のＢＷＰにおいてランダムアクセスプロセスによりＳＲを行い、なおすべての保留中のＳＲを取り消す。
【０１０５】
２、前記端末はＢＷＰ切り替えコマンドを受信すると、現在動作中の総てのＳＲ禁止タイマを直ちに停止させ、変更後のＢＷＰにおいてランダムアクセスプロセスによりＳＲを行い、なお総ての保留中のＳＲを取り消す。
【０１０６】
３、前記端末はＢＷＰ切り替えコマンドを受信すると、現在動作中の総てのＳＲ禁止タイマを直ちに停止させ、前記ＳＲ禁止タイマに関連するＳＲカウンタをプリセット値に設定し、変更後のＢＷＰにおいてランダムアクセスプロセスによりＳＲを行い、なお総ての保留中のＳＲを取り消す。
【０１０７】
実施例２において、図５に示すように、本出願の実施例に係る変更前は専用ＳＲ設定がなく、変更後は専用ＳＲ設定があるスケジューリング要求方法は以下のステップを含む。
【０１０８】
ステップ５００において、当該タイミングの端末のアクティベーションされたＢＷＰがＢＷＰ２であり、この際、ｒｅｇｕｌａｒ  ＢＳＲがトリガされた場合、ＳＲトリガ条件に基づき、ｒｅｇｕｌａｒ  ＢＳＲがＳＲをトリガすることと判定する。
【０１０９】
ステップ５０１において、ＢＷＰ２にＳＲをトリガする論理チャネル１に対応する専用ＳＲ設定がないため、端末はＢＷＰ２においてＲＡ−ＳＲを用いてＳＲを行う。
【０１１０】
ステップ５０２において、端末がＳＲを実行する過程において、ネットワーク側は端末にＢＷＰ変更を行うように通知する。
【０１１１】
ステップ５０３において、端末はアクティブＢＷＰをＢＷＰ２からＢＷＰ１に変更する。
【０１１２】
ステップ５０４において、ＢＷＰ２にＳＲをトリガする論理チャネル２に対応する専用ＳＲ設定がないため、端末はＲＡ−ＳＲを行うか、または専用スケジューリング要求リソースによりＳＲ（すなわちＤ−ＳＲ）を行ってもよい。
【０１１３】
好ましくは、端末の具体的な動作は以下のいずれであってもよい。
【０１１４】
１、前記端末はＢＷＰ変更を実行せず、変更前のＢＷＰにおいてランダムアクセスプロセスによりＳＲを行い続け、ランダムアクセスに成功した後でＢＷＰ切り替えを実行するか、またはＮ回目のランダムアクセスに失敗した後でＢＷＰ変更を行い、なお変更後のＢＷＰにおいて専用スケジューリング要求リソースによりＳＲを行い、ここでＮはランダムアクセス最大伝送回数以下である。
【０１１５】
２、前記端末は変更前のＢＷＰにおいてランダムアクセスプロセスによるＳＲを直ちに停止させ、ＢＷＰ変更を直ちに実行し、なお変更後のＢＷＰにおいて専用スケジューリングリソースによりＳＲを行う。
【０１１６】
本分野の技術者として、本出願の実施形態が、方法、システム或いはコンピュータプログラム製品を提供できるため、本出願は完全なハードウェア実施形態、完全なソフトウェア実施形態、またはソフトウェアとハードウェアの両方を結合した実施形態を採用できることがかわるはずである。さらに、本出願は、一つ或いは複数のコンピュータプログラム製品の形式を採用できる。当該製品はコンピュータ使用可能なプログラムコードを含むコンピュータ使用可能な記憶媒体（ディスク記憶装置、ＣＤ−ＲＯＭ、光学記憶装置等を含むがそれとは限らない）において実施する。
【０１１７】
本出願に係る実施形態の方法、装置（システム）、およびコンピュータプログラム製品のフロー及び／又はブロック図により本出願を記述した。理解すべきことは、コンピュータプログラムの指令により、フロー及び／又はブロック図における各フロー及び／又はブロック図、ならびにフロー及び／又はブロック図におけるフロー及び／又はブロックの結合を実現できる。これらのコンピュータプログラム指令を汎用コンピュータ、専用コンピュータ、組込み式処理装置または他のプログラミング可能なデータ処理装置のプロセッサに提供することで、マシンを構成し、したがってコンピュータまたは他のプログラミング可能なデータ処理装置のプロセッサによって実行される指令により、フロー図における１つあるいは複数のフロー及び／又はブロック図における１つあるいは複数のブロックに指定される機能を実現させる装置を生成する。
【０１１８】
これらのコンピュータプログラム指令は又、コンピュータ又は他のプログラミング可能なデータ処理装置を特定手法で動作させるコンピュータ読取記憶装置に記憶できる。これにより、指令を含む装置は当該コンピュータ読取記憶装置内の指令を実行でき、又、フロー図における１つまたは複数のフローと／又はブロック図における１つ又は複数のブロックにおいて指定される機能を実現できる。
【０１１９】
これらのコンピュータプログラム指令は又、コンピュータ又は他のプログラミング可能なデータ処理装置に実装できる。コンピュータ又は他のプログラミング可能な装置は、一連な操作ステップを実行することにより、関連の処理を実現し、コンピュータ又は他のプログラミング可能な装置において実行される指令により、フロー図における一つ又は複数のフローと／又はブロック図における一つ又は複数のブロックに指定される機能を実現する。
【０１２０】
本出願の好ましい実施形態について記述したが、当業者は、基本的な技術思想を把握した上、これらの実施形態に対して更なる変更と修正を行える。したがって、好ましい実施形態ならびに本出願の範囲内に属する総ての変更と修正を含むように意図される。
【０１２１】
無論、当業者であれば、本出願の実施形態の精神や範囲を逸脱することなく、本出願の実施形態に様々な修正や変形が可能である。したがって、本出願の実施形態の修正や変形が添付の特許請求の範囲とその均等技術の範囲に属する限り、本出願もこれらの修正や変形を含むように意図される。
【符号の説明】
【０１２２】
２００  プロセッサ
２０１  メモリ
２０２  送受信機
３００  変更処理モジュール
３０１  報告処理モジュール
【図１】
2021508208.tif 000003
【図２】
2021508208.tif 000004
【図３】
2021508208.tif 000005
【図４】
2021508208.tif 000006
【図５】
2021508208.tif 000007
【手続補正書】
【提出日】令和2年6月26日(2020.6.26)
【手続補正１】
【補正対象書類名】特許請求の範囲
【補正対象項目名】全文
【補正方法】変更
【補正の内容】
【特許請求の範囲】
【請求項１】
端末はスケジューリング要求のためのＳＲ報告を実行する過程において帯域幅パート（ＢＷＰ）の変更が発生したことを確定することと、
前記端末は変更後のＢＷＰにおけるＳＲ設定に従ってＳＲを行うことと、
を含むことを特徴とするスケジューリング要求を行う方法。
【請求項２】
前記端末が変更後のＢＷＰにおけるＳＲ設定に従ってＳＲを行うことは、
変更後のＢＷＰにＳＲをトリガする論理チャネルに対応する専用ＳＲ設定がない場合、前記端末はランダムアクセスプロセスによりＳＲを行うか、或いは、
変更後のＢＷＰにＳＲをトリガする論理チャネルに対応する専用ＳＲ設定がある場合、前記端末はランダムアクセスプロセスによりＳＲを行うか、または専用スケジューリング要求リソースによりＳＲを行う、
ことを含むことを特徴とする請求項１に記載の方法。
【請求項３】
変更前のＢＷＰにＳＲをトリガする論理チャネルに対応する専用ＳＲ設定があり、変更後のＢＷＰにはＳＲをトリガする論理チャネルに対応する専用ＳＲ設定がない場合、前記端末はランダムアクセスプロセスによりＳＲを行うことは、
端末で少なくとも１つのＳＲ禁止タイマが動作中である場合、前記端末は動作中のSＲ禁止タイマ中のターゲットＳＲ禁止タイマの期限が切れると、変更後のＢＷＰにおいてランダムアクセスプロセスによりＳＲを行い、なお総ての保留中のＳＲを取り消すか、或いは、
前記端末はＢＷＰ切り替えコマンドを受信すると、現在動作中の総てのＳＲ禁止タイマを直ちに停止させ、変更後のＢＷＰにおいてランダムアクセスプロセスによりＳＲを行い、なお総ての保留中のＳＲを取り消すか、或いは、
前記端末はＢＷＰ切り替えコマンドを受信すると、現在動作中の総てのＳＲ禁止タイマを直ちに停止させ、なお前記ＳＲ禁止タイマに関連するＳＲカウンタをプリセット値に設定し、変更後のＢＷＰにおいてランダムアクセスプロセスによりＳＲを行い、なお総ての保留中のＳＲを取り消す、
ことを含むことを特徴とする請求項２に記載の方法。
【請求項４】
ターゲットＳＲ禁止タイマは最初にタイムアウトするＳＲ禁止タイマまたは最後にタイムアウトするＳＲ禁止タイマである、
ことを特徴とする請求項３に記載の方法。
【請求項５】
前記端末は総ての保留中のＳＲを取り消した後、
動作中のＳＲ禁止タイマがある場合、前記端末は総てのＳＲ禁止タイマを停止させ、なお前記ＳＲ禁止タイマに対応するＳＲカウンタにプリセット値を設定する、
ことをさらに含むことを特徴とする請求項３に記載の方法。
【請求項６】
変更前のＢＷＰにＳＲをトリガする論理チャネルに対応する専用ＳＲ設定がなく、変更後のＢＷＰにもＳＲをトリガする論理チャネルに対応する専用ＳＲ設定がない場合、前記端末はランダムアクセスプロセスによりＳＲを行うことは、
前記端末はＢＷＰ変更を実行せず、変更前のＢＷＰにおいてランダムアクセスプロセスによりＳＲを行い続け、ランダムアクセスに成功した後でＢＷＰ変更を実行するか、またはランダムアクセス最大伝送回数以下のＮ回目のランダムアクセスに失敗した後でＢＷＰ変更を行い、なお変更後のＢＷＰにおいて続けてランダムアクセスプロセスによりＳＲを行うか、或いは、
前記端末は変更前のＢＷＰにおいてランダムアクセスプロセスによるＳＲを直ちに停止させ、ＢＷＰ変更を実行し、なお変更後のＢＷＰにおいてランダムアクセスプロセスによりＳＲを行う、
ことを含むことを特徴とする請求項２に記載の方法。
【請求項７】
変更前のＢＷＰにおいてＳＲをトリガする論理チャネルに対応する専用ＳＲ設定があり、かつ変更後のＢＷＰにＳＲをトリガする論理チャネルに対応する専用ＳＲ設定がある場合、前記端末は専用スケジューリング要求リソースによりＳＲを行うことは、
前記端末は、ＳＲをトリガする論理チャネルに対応するＳＲ禁止タイマがタイムアウトした後、前記論理チャネルにトリガされたＳＲが保留状態にある場合、変更後のＢＷＰにおいて専用スケジューリング要求リソースによりＳＲを行う、
ことを含むことを特徴とする請求項２に記載の方法。
【請求項８】
変更前のＢＷＰにＳＲをトリガする論理チャネルに対応する専用ＳＲ設定がなく、かつ変更後のＢＷＰにＳＲをトリガする論理チャネルに対応する専用ＳＲ設定がある場合、前記端末はランダムアクセスプロセスによりＳＲを行うか、または専用スケジューリング要求リソースによりＳＲを行うことは、
前記端末はＢＷＰ変更を実行せず、変更前のＢＷＰにおいてランダムアクセスプロセスによりＳＲを行い続け、ランダムアクセスに成功した後でＢＷＰ切り替えを実行するか、またはランダムアクセス最大伝送回数以下のＮ回目のランダムアクセスに失敗した後でＢＷＰ切り替えを行い、なお変更後のＢＷＰにおいて専用スケジューリング要求リソースによりＳＲを行うか、或いは、
前記端末は変更前のＢＷＰにおいてランダムアクセスプロセスによるＳＲを直ちに停止させ、ＢＷＰ変更を直ちに実行し、なお変更後のＢＷＰにおいて専用スケジューリング要求リソースによりＳＲを行う、
ことを含むことを特徴とする請求項２に記載の方法。
【請求項９】
前記端末はランダムアクセスに失敗した回数がランダムアクセス最大伝送回数と同じとなった場合、上位層にランダムアクセス問題指示を送信しない、
ことをさらに含むことを特徴とする請求項１から８のいずれかに記載の方法。
【請求項１０】
ＳＲ報告を実行する過程においてＢＷＰ変更が発生したことを確定するための変更処理モジュールと、
変更後のＢＷＰにおけるＳＲ設定に従ってＳＲを行うための報告処理モジュールと、
を含むことを特徴とするスケジューリング要求を行う端末。
【請求項１１】
前記報告処理モジュールは、
変更後のＢＷＰにＳＲをトリガする論理チャネルに対応する専用ＳＲ設定がない場合、ランダムアクセスプロセスによりＳＲを行うか、或いは
変更後のＢＷＰにＳＲをトリガする論理チャネルに対応する専用ＳＲ設定がある場合、ランダムアクセスプロセスによりＳＲを行うか、または専用スケジューリング要求リソースによりＳＲを行う、
ことに用いられることを特徴とする請求項１０に記載の端末。
【請求項１２】
変更前のＢＷＰに前記ＳＲをトリガする論理チャネルに対応する専用ＳＲ設定があり、かつ変更後のＢＷＰにＳＲをトリガする論理チャネルに対応する専用ＳＲ設定がない場合、
前記報告処理モジュールは、
少なくとも１つのＳＲ禁止タイマが動作中である場合、動作中のＳＲ禁止タイマ中のターゲットＳＲ禁止タイマの期限が切れると、変更後のＢＷＰにおいてランダムアクセスプロセスによりＳＲを行い、なお総ての保留中のＳＲを取り消すか、或いは、
ＢＷＰ切り替えコマドンを受信すると、現在動作中の総てのＳＲ禁止タイマを直ちに停止させ、変更後のＢＷＰにおいてランダムアクセスプロセスによりＳＲを行い、なお総ての保留中のＳＲを取り消すか、或いは、
ＢＷＰ切り替えコマンドを受信すると、現在動作中の総てのＳＲ禁止タイマを直ちに停止させ、なお前記ＳＲ禁止タイマに関連するＳＲカウンタにプリセット値を設定し、変更後のＢＷＰにおいてランダムアクセスプロセスによりＳＲを行い、なお総ての保留中のＳＲを取り消す、
ことに用いられることを特徴とする請求項１１に記載の端末。
【請求項１３】
ターゲットＳＲ禁止タイマは最初にタイムアウトするＳＲ禁止タイマまたは最後にタイムアウトするＳＲ禁止タイマである、
ことを特徴とする請求項１１に記載の端末。
【請求項１４】
前記報告処理モジュールは、さらに、
動作中のＳＲ禁止タイマがある場合、総てのＳＲ禁止タイマを停止させ、なお前記ＳＲ禁止タイマに対応するＳＲカウンタにプリセット値を設定する、
ことに用いられることを特徴とする請求項１１に記載の端末。
【請求項１５】
変更前のＢＷＰに前記ＳＲをトリガする論理チャネルに対応する専用ＳＲ設定がなく、かつ変更後のＢＷＰにもＳＲをトリガする論理チャネルがない場合、
前記報告処理モジュールは、
ＢＷＰ変更を実行せず、変更前のＢＷＰにおいてランダムアクセスプロセスによるＳＲを行い続け、ランダムアクセスに成功した後でＢＷＰ変更を実行するか、またはランダムアクセス最大伝送回数以下のＮ回目のランダムアクセスに失敗した後でＢＷＰ変更を行い、なお変更後のＢＷＰにおいて続けてランダムアクセスプロセスによりＳＲを行うか、或いは
変更前のＢＷＰにおいてランダムアクセスプロセスによるＳＲを直ちに停止させ、なおＢＷＰ変更を実行し、変更後のＢＷＰにおいてランダムアクセスプロセスによりＳＲを行う、
ことに用いられることを特徴とする請求項１１に記載の端末。
【手続補正２】
【補正対象書類名】明細書
【補正対象項目名】００４９
【補正方法】変更
【補正の内容】
【００４９】
ここでのＮの値はニーズに応じて設定されてもよい。例えば、１に設定してもよく、その場合、ＢＷＰ変更前の１回目のランダムアクセスに失敗するだけで、ＢＷＰ切り替えを行い、なお変更後のＢＷＰにおいて専用スケジューリング要求リソースによりＳＲを行う。
【手続補正３】
【補正対象書類名】明細書
【補正対象項目名】００６７
【補正方法】変更
【補正の内容】
【００６７】
ここでのＮの値はニーズに応じて設定してもよく、例えば１に設定してもよく、その場合、ＢＷＰ変更前の１回目のランダムアクセスに失敗するだけで、ＢＷＰ切り替えを行い、なお変更後のＢＷＰにおいて専用スケジューリング要求リソースによりＳＲを行う。
【国際調査報告】
2021508208.tif 000008
2021508208.tif 000009
2021508208.tif 000010
2021508208.tif 000011